(57)【特許請求の範囲】
【請求項１】
球を貯蔵するタンクの下に配置されて前記タンクから供給される球を前記タンクの下側に誘導して球払出装置に供給する縦形球樋であって、縦形ケースの内部に上下方向に延びる中心棒とこの中心棒の外側にスクリューのように螺旋羽根を固定的に備えた螺旋スロープとを有する円筒状に形成され、前記中心棒の上端部が前記縦形ケースから前記タンクの内部に突出して前記タンクの内部に設けられた支持部に固定的に支持され、前記中心棒の下端部が前記縦形ケースの底部に固定的に支持されることにより、前記中心棒が周方向に回転しないように前記縦形ケースに固定的に支持され、上下で球取入口側部分と球排出口側部分と中間部分とに分割されて構成され、前記球取入口側部分は前記タンクの底部に形成された貫通孔の周りに接続されて前記タンクから供給される球を前記螺旋スロープに導入する球取入口を備え、前記球排出口側部分は前記螺旋スロープから前記球払出装置に球を導出する球排出口を備え、前記球排出口では、前記螺旋羽根の下端部が、前記螺旋羽根の上下間隔を上から下に行くに従って徐々に狭くなるように湾曲形成されて一個の球を通過し得る通路を形成するように絞られて前記球払出装置の球取入口に球を流すように連なっており、前記球取入口側部分と前記球排出口側部分と前記中間部分とが、つなぎ合わせる方の一方における中心棒の端部に形成した凹部と他方における中心棒の端部に形成した凸部とが互いに嵌め合わされる一方、つなぎ合わせる方の一方における縦形ケースの端部に形成した環状のフランジと他方における縦形ケースの端部とが互いに嵌め合わされて、上下方向に直線的につなぎ合わされた一つの縦型球樋を形成していることを特徴とする縦形球樋。  
【発明の詳細な説明】
【０００１】
【発明の属する技術分野】
本発明は、遊技媒体に球を使用する遊技機における縦形球樋に関する。
【０００２】
【従来の技術】
図２は特開平１０−３２３４３７号公報で開示されたパチンコ機の裏側を示し、遊技機の裏側から前側に球を払い出す系統は球を上タンク１１と下タンク１２および縦形球樋１３を順次経由して球払出装置３に供給し、球払出装置３の球払出動作で球をパチンコ機の前側に設けられた上皿装置４に供給するようになっている。縦形球樋１３は球を左右に蛇行させる形態である。
【０００３】
【発明が解決しようとする課題】
しかしながら、縦形球樋１３の取り付けられる遊技機は遊技機製造会社で個々専用の構造になっており、特に、下タンク１２と球払出装置３との間隔も遊技機製造会社ごとに異なっている。このため、前記従来のように、下タンク１２の球を球払出装置３に誘導する縦形球樋１３を複数の遊技機製造会社製の遊技機に対して共通に使用することができず、不経済であるという問題点があった。
【０００４】
そこで、本発明は共通部品化が図れる縦形球樋を提供するものである。
【０００５】
【課題を解決するための手段】
本発明にあっては、縦形ケースの内部に上下方向に延びる中心棒とこの中心棒の外側にスクリューのように螺旋羽根を固定的に備えた螺旋スロープとを有する円筒状に形成され、かつ、前記中心棒の上端部が前記縦形ケースから前記タンクの内部に突出して前記タンクの内部に設けられた支持部に固定的に支持され、前記中心棒の下端部が前記縦形ケースの底部に固定的に支持されることにより、前記中心棒が周方向に回転しないように前記縦形ケースに固定的に支持され、螺旋を描く球の流れで球詰まりなく球の高速流下を行うことができる。また、本発明にあっては、前記縦形球樋が球取入口側部分と球排出口側部分と中間部分とに分割されて構成され、前記球取入口側部分と球排出口側部分と中間部分とが上下方向に直線的につなぎ合わされているので、縦形球樋の分割された上下部分を標準仕様とし、縦形球樋の分割された中間部分を交換仕様とすれば、上部分にタンクに接続する部分としての球取入口を形成し、下部分に球払出装置に接続する部分としての球排出口を形成することで、上下寸法の異なる複数の種類の縦形球樋をタンクと球払出装置との異なる複数の遊技機に応じて交換使用することができる。また、本発明にあっては、つなぎ合わせる方の一方における中心棒の端部に形成した凹部と他方における中心棒の端部に形成した凸部とを互いに嵌め合わせる一方、つなぎ合わせる方の一方における縦形ケースの端部に形成した環状のフランジと他方における縦形ケースの端部とを互いに嵌め合わせたので、球取入口側部分と球排出口側部分と中間部分との結合と分離とを簡単に行うことができる。
また、球排出口側部分は前記螺旋スロープから前記球払出装置に球を導出する球排出口を備え、前記球排出口では、前記螺旋羽根の下端部が、前記螺旋羽根の上下間隔を上から下に行くに従って徐々に狭くなるように湾曲形成されて一個の球を通過し得る通路を形成するように絞られて前記球払出装置の球取入口に球を流すように連なっているので、球取入口に球を滑らかに流すことができる。
【０００６】
【発明の実施の形態】
図１は一実施形態に係る遊技機の裏側を示す。遊技機の裏側は遊技機枠Ａの上部における一側部に、タンク１、縦形球樋２、球払出装置３、上皿装置４を上から下に縦列となるように配置した形態である。タンク１から球払出装置３の方向に球Ｐを導く縦形球樋２は上開放下閉鎖状の円筒状の縦形ケース５の内部に上下方向に延びる中心棒６を備え、中心棒６の外側にスクリューのように螺旋羽根７を固定的に備えたことにより、縦形ケース５の内部に上下方向に中心棒６を中心とする螺旋スロープ８が形成される。
【０００７】
縦形ケース５の上開口はタンク１から供給される球Ｐを螺旋スロープ８に導入する球取入口９としてタンク１の底部に形成された貫通孔１ａの周りに接続される。中心棒６の上端部は縦形ケース５からタンク１の内部に突出してタンク１の内部に設けられた支持部１４に固定的に支持され、中心棒６の下端部は縦形ケース５の底部に固定的に支持されることによって、中心棒６は周方向に回転しないように縦形ケース５に固定的に支持されている。縦形ケース５の下側部には螺旋スロープ８から球払出装置３に球Ｐを導出する球排出口１０を備え、球排出口１０では螺旋羽根７の下端部が螺旋羽根７の上下間隔を上から下に行くに従って徐々に狭くなるように湾曲形成されて一個の球Ｐを通過し得る通路を形成するように絞られて球払出装置３の球取入口９に球Ｐを滑らかに流すように連なる。
【０００８】
とりわけ、縦形球樋２は上下で複数に分割される。具体的には、例えば、縦形球樋２は球取入口側部分２ａと球排出口側部分２ｃと中間部分２ｂとの３つに分割される。球取入口側部分２ａと中間部分２ｂとの分割位置は実線Ｌ１で示し、中間部分２ｂと球排出口側部分２ｃとの分割位置は実線Ｌ２で示す。球取入口側部分２ａと球排出口側部分２ｃと中間部分２ｂとが上下方向に直線的につなぎ合わされることによって、１つの縦形球樋２となる。これら球取入口側部分２ａと球排出口側部分２ｃと中間部分２ｂとのつなぎ合わせ方は、例えば、つなぎ合わせる双方における中心棒６の端部どうしを互いに接着剤で結合する一方、縦形ケース５の端部どうしを互いに接着剤で結合してもよいが、つなぎ合わせる方の一方における中心棒６の端部に形成した凹部と他方における中心棒６の端部に形成した凸部とを互いに嵌め合わせる一方、つなぎ合わせる方の一方における縦形ケース５の端部に形成した環状のフランジ５ａと他方における縦形ケース５の端部とを互いに嵌め合わせれば、球取入口側部分２ａと球排出口側部分２ｃと中間部分２ｂとの結合と分離とが簡単である。
【０００９】
このように縦形球樋２を３つに分割した場合、球取入口側部分２ａはタンク１の貫通孔１ａとの合せの関係から標準品とし、球排出口側部分２ｃは球払出装置３の球を取入れる図外の貫通孔との合せの関係から標準品とし、中間部分２ｂを上下寸法が変わる交換品とすることによって、中間部分２ｂを異なる上下寸法のものと交換することによって、球取入口９と球排出口１０との間の上下寸法の異なる複数の種類の縦形球樋２を容易に得ることができる。但し、交換される中間部分２ｂは上下寸法が変わるだけでなく、螺旋羽根７の上下端が球取入口側部分２ａと球排出口側部分２ｃとにおける螺旋羽根７の端部と合うように変更することは勿論である。
【００１０】
本実施形態の構造によれば、縦形ケース５の内部に上下方向に延びる螺旋スロープ８を形成した縦形球樋２が遊技機枠Ａのタンク１の真下に配置されたことによって、裏機構を簡素にすることができる。そして、縦形ケース５の内部に形成された螺旋スロープ８はタンク１から供給された球Ｐを球払出装置３の方向に自然流下式に誘導する。このように螺旋スロープ８が球Ｐを上下方向に伸びる中心の周りを旋回するように誘導することから、縦形球樋２の横幅つまり縦形ケース５の横幅を小さく形成しても、球Ｐが螺旋スロープ８に沿って恰も前後左右に蛇行を描くような形態であるので、必然的に縦形球樋２での球貯蔵量が多くなる。
【００１１】
また、縦形球樋２の分割要素である球取入口側部分２ａと球排出口側部分２ｃと中間部分２ｂとにおいて、球取入口側部分２ａと球排出口側部分２ｃとを標準仕様とし、中間部分２ｂを交換仕様とすれば、螺旋を描く球Ｐの流れで球詰まりなく球の高速流下の行える縦形球樋の共通部品化を図ることができる。
【００１２】
前記実施形態では螺旋羽根７を中心棒６に固定したが、螺旋羽根７は縦形ケース５に固定しても同様に適用することができる。
【図面の簡単な説明】
【図１】  実施形態の遊技機を示す背面図。
【図２】  従来例を示す模式図。
【符号の説明】
１  タンク、２  縦形球樋、３  球払出装置、５  縦形ケース、
６  中心棒、７  螺旋羽根、８  螺旋スロープ
【図１】
0004246957.tif 000002
【図２】
0004246957.tif 000003